(57)【要約】【課題】  単純な構成でありながら、運転中に揺れの持続を防止したお守りを提供する。【解決手段】  お守り10は、自動車の斜面を形成するフロントガラス内面に取り付け可能なお守り10であって、お守り本体20と、前記フロントガラスの内面に吸着可能な吸盤30と、所定幅を有する帯状とした合成樹脂による薄いシートであって、お守り本体20を固定させる粘着シートを有して、お守り本体20と吸盤30とを両端で取り付け可能として、前記自動車の振動によりお守り本体20が揺れないように保持する保持シート50と、を備える。【選択図】    図１
0003177395.tif 000002
【実用新案登録請求の範囲】
【請求項１】
自動車の斜面を形成するフロントガラス内面に取り付け可能なお守りであって、
お守り本体と、
前記フロントガラスの内面に吸着可能な吸盤と、
前記お守り本体と前記吸盤とを両端で取り付け可能として、前記自動車の振動によりお守り本体が揺れないように保持する保持シートと、
を備えることを特徴とするお守り。
【請求項２】
前記保持シートは、所定幅を有する帯状とした合成樹脂による薄いシートであることを特徴とする請求項１に記載のお守り。
【請求項３】
前記保持シートには、前記お守り本体を固定させる粘着シートを有することを特徴とする請求項１又は請求項２に記載のお守り。
【請求項４】
前記保持シートは、前記吸盤と取り付けるための挿入部を有し、前記吸盤は、背面に貫通穴を備えた突起部を有し、前記挿入部を前記貫通穴に係合させていることを特徴とする請求項１乃至請求項３の何れかに記載のお守り。
【考案の詳細な説明】
【技術分野】
【０００１】
本考案は、安全運転のお守りに関する。
【背景技術】
【０００２】
従来から、交通安全等のお守りを自動車のフロントガラスの隅の内面に取り付けるために、フロントガラスの内面に吸盤を押し当てるようにして取り付け、その吸盤からお守りを紐などを介して吊り下げている場合がある。
【０００３】
そして、下記に示す特許文献１には、お守りなどを自動車のフロントガラスの内面などに装着した際、お守りなどが大きく揺れることなく、視界の妨げにならず、安全に運転できるようにするお守りなどの小物用支持具が提案されている。
【先行技術文献】
【特許文献】
【０００４】
【特許文献１】特開２０００−１７５８０５号公報
【考案の概要】
【考案が解決しようとする課題】
【０００５】
しかしながら、特許文献１に示すお守りなどの小物用支持具は、お守りなどの小物の裏面に接合される板部と、板部の上端に一体に設けられた回転支持部に対し回転自在に連結される吸盤連結部と、吸盤連結部に支持される吸盤と、から構成されており、吸盤以外に射出成形のプラスチックの部品を有することからコスト高であった。
【０００６】
本考案は、上述したような従来技術の問題点に鑑みてなされたものであり、単純な構成でありながら、運転中に揺れの持続を防止したお守りを提供することを目的としている。
【課題を解決するための手段】
【０００７】
本考案のお守りは、自動車の斜面を形成するフロントガラス内面に取り付け可能なお守りであって、お守り本体と、前記フロントガラスの内面に吸着可能な吸盤と、前記お守り本体と前記吸盤とを両端で取り付け可能として、前記自動車の振動によりお守り本体が揺れないように保持する保持シートと、を備えることを特徴とする。
【０００８】
そして、本考案のお守りは、前記保持シートが所定幅を有する帯状とした合成樹脂による薄いシートであることを特徴とする。
【０００９】
さらに、本考案のお守りは、前記保持シートには、前記お守り本体を固定させる粘着シートを有することを特徴とする。
【００１０】
そして、本考案のお守りは、前記保持シートが前記吸盤と取り付けるための挿入部を有し、吸盤は、背面に貫通穴を備えた突起部を有し、前記挿入部を前記貫通穴に係合させていることを特徴とする。
【考案の効果】
【００１１】
本考案によれば、単純な構成でありながら、運転中に揺れの持続を防止したお守りを提供することができる。
【００１２】
また、本考案によれば、前記保持シートは、所定幅を有する帯状とした合成樹脂による薄いシートとすることにより、柔軟性を有してお守り本体を保持することができる。
【００１３】
さらに、本考案によれば、保持シートには、お守り本体を固定させる粘着シートを有することから、道具を使わずに簡単にお守り本体を取り付けることができる。
【００１４】
そして、本考案によれば、保持シートは、吸盤と取り付けるための挿入部を有することから、吸盤の突起部の貫通穴に嵌めて容易に固定させることができる。
【図面の簡単な説明】
【００１５】
【図１】本考案の実施例に係るお守りの分解斜視図である。
【図２】本考案の実施例に係るお守りをフロントガラスに取り付けたときの側面図である。
【図３】本考案の実施例に係るお守りの保持シートの正面図である。
【図４】本考案の実施例に係るお守りの保持シートの正面図である。
【図５】本考案の実施例に係るお守りの保持シートの正面図である。
【考案を実施するための形態】
【００１６】
以下、本考案を実施するための形態について述べる。本考案のお守り10は、自動車の斜面を形成するフロントガラス100の内面に取り付け可能なお守り10である。そして、お守り10は、お守り本体20と、フロントガラス100の内面に吸着可能な吸盤30と、お守り本体20と吸盤30とを両端で取り付け可能として、斜面を形成するフロントガラス100に吸着した吸盤30に対して柔軟性と靭性を備えた保持シート50と、を備える。
【００１７】
そして、保持シート50には、お守り本体20を固定させる粘着シート41を有する。
【００１８】
また、保持シート50は、吸盤30に取り付けるための挿入部45を有し、吸盤30は、背面に貫通穴31を備えた突起部32を有し、挿入部45を貫通穴31に係合させている。
【実施例】
【００１９】
以下、本考案の実施例について図を用いて説明する。図１は本考案の実施例に係るお守り10の分解斜視図である。
【００２０】
お守り10は、図１に示すように自動車のフロントガラスに吸着させる吸盤30、吸盤30の突起部32の貫通穴31に嵌める挿入部45を有する保持シート50、及び、保持シート50に設けた粘着シート41により保持シート50と接合されるお守り本体20を備える。
【００２１】
吸盤30は、ゴム系の樹脂材で作られており、吸着部が弾力性のあるプラスチック製で円形皿状の形状をしており、背後に円柱形状で水平方向に貫通穴31を有する突起部32を備える。そして、吸盤30は、吸着部をフロントガラスに対して皿を伏せる向きで押しつけて吸着させることにより、吸着状態を保持させる。
【００２２】
保持シート50は、材質が塩化ビニール等の合成樹脂をフィルム状とした薄いシートであって、適宜の、弾力性と柔軟性と靭性を有し、本体部の上方に吸盤30の突起部32の貫通穴31に取り付けるための挿入部45を形成しており、本体部の下方の背面側にお守り本体20を固定させるための四角形状の粘着シート41が貼付されている。
【００２３】
お守り本体20は、紙や木の芯部に御札を貼り、布、又は、紙等で一部を包んで状態のものを、更に袋の外側を樹脂などで覆われる様に封止して構成されている。
【００２４】
次に、お守り10の使用形態について、図を用いて説明する。図２は本考案の実施例に係るお守り10を自動車のフロントガラス100に取り付けたときの側面断面図である。
【００２５】
交通安全等のお守り10は、図２に示すように、吸盤30を自動車内でフロントガラス100の斜面に吸着させて、弾力性等を有する薄いシート状の保持シート50の挿入部45を吸盤30の突起部の貫通穴31に挿入させ、保持シート50の粘着シート41にお守り本体20を固定させて取り付けるものである。
【００２６】
次に、幾つか適用可能な保持シートの形状について、図を用いて説明する。図３乃至図５は、本考案の実施例に係るお守り10の保持シート50の挿入部45の異なる例を示す図である。
【００２７】
お守り10の保持シート50は、例えば、図３及び図４に示すように、挿入部45を含む上方の形状を四角形状とするものである。なお、挿入部45は、保持シート50の外形の一部を図３に示したように水平方向、又は図４に示したように垂直方向に切り欠いて形成することにより、保持シート50の外形形状をシンプルなものとしている
【００２８】
このような挿入部45の形状とすることにより、保持シート50は単純な形状とされて、射出成形をせずに抜型形状を単純としてコスト安にするともに、製作を容易とすることができる。
【００２９】
また、お守り10の保持シート50は、例えば、図５に示すように、挿入部45を含む上方の形状を面取りされた五角形状としても構わない。
【００３０】
以上のように本考案によれば、単純な構成でありながら、運転中に揺れの持続を防止したお守り10を提供することができる。
【００３１】
そして、本考案によれば、保持シート50は、所定幅を有する帯状とした合成樹脂による薄いシートとすることにより、柔軟性を有してお守り本体20を保持することができる。
【００３２】
さらに、本考案によれば、保持シート50には、お守り本体20を固定させる粘着シート41を有することから、道具を使わずに簡単にお守り本体20を取り付けることができる。
【００３３】
そして、本考案によれば、保持シート50は、吸盤30と取り付けるための挿入部45を有することから、吸盤30の突起部の貫通穴31に嵌めて容易に固定させることができる。
【符号の説明】
【００３４】
10    お守り
20    お守り本体
30    吸盤                              31    貫通穴
32    突起部
41    粘着シート                        45    挿入部
50    保持シート
100   フロントガラス
【図１】
0003177395.tif 000003
【図２】
0003177395.tif 000004
【図３】
0003177395.tif 000005
【図４】
0003177395.tif 000006
【図５】
0003177395.tif 000007